(57)【要約】【課題】正規のラベルからそれ以外のラベルへの貼り替えという不正行為を安価な対策によって抑制できるようにしたラベル付き商品包装体及び商品包装体のラベル貼付方法を提供する。【解決手段】ラベル付き商品包装体１０において、皿状に形成されたトレー１２に商品１１が載せられており、トレー１２の開放部がラップ１３により覆われている。ラップ１３には、売値，商品名，販売店名などの商品情報が印刷された表示ラベル２１が貼付されている。表示ラベル２１には、ラップ１３に掛かるようにして無色透明の保護シート３１が貼付されている。すなわち、保護シート３１は、ラップ１３と表示ラベル２１とに跨るようにして貼付されている。【選択図】      図１
2008094404.tif 000002
【特許請求の範囲】
【請求項１】
商品を包装する包装材と、
表面に商品名称、値段等の商品情報が印刷された印刷面が形成され、裏面にラベル粘着層が形成された表示ラベルと、
透明性を有するシート材により形成され、裏面に前記ラベル粘着層と同等又はそれよりも高い粘着性を有するシート粘着層が形成された保護シートと
を備え、
前記包装材の表面に前記表示ラベルが前記ラベル粘着層により貼付されているとともに、前記包装材と前記表示ラベルとに跨るようにして前記保護シートが前記シート粘着層により貼付されていることを特徴とするラベル付き商品包装体。
【請求項２】
前記保護シートに、切り込みを設けたことを特徴とする請求項１に記載のラベル付き商品包装体。
【請求項３】
前記切り込みを、前記保護シートにおける前記包装材に貼付された部分に設けたことを特徴とする請求項２に記載のラベル付き商品包装体。
【請求項４】
前記切り込みを、前記包装材と前記表示ラベルとの境界に沿って延びるように前記保護シートに設けたことを特徴とする請求項２又は３に記載のラベル付き商品包装体。
【請求項５】
前記切り込みを、前記保護シートの端部に達するように設けたことを特徴とする請求項２乃至４のいずれかに記載のラベル付き商品包装体。
【請求項６】
前記保護シートを、可撓性を有する合成樹脂により形成したことを特徴とする請求項１乃至５のいずれかに記載のラベル付き商品包装体。
【請求項７】
前記保護シートを、透明性を有する合成樹脂により形成したことを特徴とする請求項１乃至６のいずれかに記載のラベル付き商品包装体。
【請求項８】
前記包装材を、透明性を有する材料により形成したことを特徴とする請求項７に記載のラベル付き商品包装体。
【請求項９】
商品を包装する包装材の表面に、商品の名称や値段等の商品情報が印刷された印刷面を表面に有する表示ラベルを貼付し、
前記包装材と前記表示ラベルとに跨るようにして、透明性を有しかつ前記表示ラベルと同等又はそれよりも高い粘着性を有する保護シートを貼付したことを特徴とする商品包装体のラベル貼付方法。
【発明の詳細な説明】
【技術分野】
【０００１】
本発明はラベル付き商品包装体及び商品包装体のラベル貼付方法に関する。
【背景技術】
【０００２】
商品、特に肉や鮮魚などの食料品の販売に際しては、衛生面や取扱性向上のため、これらをトレーに入れた状態でラップ等の包装材により包装されることが多い。これらの食料品は、例えばグラム単位の単価が設定され、その重量が計測されることで売値が決定される。その計量結果である重量、重量と単価とを乗算した売値、食料品の名称である商品名、販売店名などの商品情報は、表示ラベルの表面に印字され、その印字された表示ラベルが包装材の表面に貼り付けられる。
【０００３】
上記商品の不正取得の態様として、正規の計量ラベルを剥がしてそれよりも低価格が表示された計量ラベルを貼付し、この不正な計量ラベルに表示された低価格で商品を購入することが報告されている。このような不正が行われると、店舗は大きな損害を被ることとなる。
【０００４】
ここで、ラベルにＩＣチップなどを組み込んで、正規のラベルか否かを判断できるようにした技術が存在する（例えば、特許文献１参照）。
【特許文献１】特開２００５−６２６６３号公報
【発明の開示】
【発明が解決しようとする課題】
【０００５】
上記ＩＣチップを組み込んだラベルを、包装材の表面に貼り付けることも考えられる。しかしながら、ＩＣチップを組み込む等の不正対策は、非常に高価であって、安価な商品に付するラベルとしては現実的ではない。高価なラベルを用いる対策では、商品価格に上乗せせざるを得ず、店舗がその導入に躊躇するためである。
【０００６】
本発明は、以上の事情に鑑みてなされたものであり、正規のラベルからそれ以外のラベルへの貼り替えという不正行為を安価な対策によって抑制できるようにしたラベル付き商品包装体及び商品包装体のラベル貼付方法を提供することを主たる目的とするものである。
【課題を解決するための手段】
【０００７】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００８】
手段１．商品（商品１１）を包装する包装材（トレー１２、ラップ１３）と、
表面に商品名称、値段等の商品情報が印刷された印刷面（サーマル層２３）が形成され、裏面にラベル粘着層（ラベル粘着層２４）が形成された表示ラベル（表示ラベル２１）と、
透明性を有するシート材（シート材３２）により形成され、裏面に前記ラベル粘着層と同等又はそれよりも高い粘着性を有するシート粘着層（シート粘着層３３）が形成された保護シート（保護シート３１，４１）と
を備え、
前記包装材の表面に前記表示ラベルが前記ラベル粘着層により貼付されているとともに、前記包装材と前記表示ラベルとに跨るようにして前記保護シートが前記シート粘着層により貼付されていることを特徴とするラベル付き商品包装体。
【０００９】
手段１によれば、包装材の表面に表示ラベルがラベル粘着層により貼付されているとともに、包装材と表示ラベルとに跨るようにして保護シートがシート粘着層により貼付されている。したがって、保護シートを剥がさない限りは表示ラベルを包装材から剥がし取ることができない。このため、仮に、表示ラベルを包装材から不正に剥がし取ってそれ以外のラベルを包装材に貼付しようとしても余計な手間（保護シートを剥がす手間）がかかり、店員などに発見されないようにかかる不正を行うことが困難なものとなっている。故に、表示ラベルの不正な貼り替えに対する抑止力を発揮することができる。
【００１０】
また、保護シートの裏面に形成されたラベル粘着層の粘着力を、表示ラベルの裏面に形成されたラベル粘着層の粘着力と同等又はそれよりも高くした。このため、包装材及び表示ラベルから保護シートを剥がす際に、包装材から表示ラベルを剥がす手間と同等又はそれより余計な手間がかかることとなる。したがって、表示ラベルの不正な貼り替えに対する抑止力をより好適に発揮することができる。
【００１１】
さらに、包装材及び表示ラベルに保護シートを貼付することでかかる不正に対する抑止力を発揮する構成としたため、従来の表示ラベルを従来通り使用することができる。故に、比較的安価な保護シートにより、かつその保護シートを貼付するという比較的容易な作業により不正対策を実現することができる。
【００１２】
以上の結果、正規のラベルからそれ以外のラベルへの貼り替えという不正行為を安価な対策によって抑制できる。
【００１３】
手段２．前記保護シートに、切り込み（切り込み３４ａ，３４ｂ）を設けたことを特徴とする手段１に記載のラベル付き商品包装体。
【００１４】
手段２によれば、保護シートに切り込みを設けたため、保護シートが剥がされた場合、保護シートの剥離に伴う応力が切り込みに集中するなどして保護シートの破断が促進される。これにより、表示ラベルが包装材から剥がし取られても、その痕跡をより確実に残すことが可能となる。
【００１５】
手段３．前記切り込みを、前記保護シートにおける前記包装材に貼付された部分に設けたことを特徴とする手段２に記載のラベル付き商品包装体。
【００１６】
手段３によれば、保護シートにおける包装材に貼付された部分に切り込みを設けた。このため、表示ラベルを剥離すると、表示ラベルとともに剥離される保護シートが切り込み部分で破断され、保護シートの一部が包装材に残存し易くなる。この残存した保護シートの一部が痕跡となって残るため、表示ラベルをそれ以外のラベルに貼り替えても容易に発見することができる。
【００１７】
手段４．前記切り込みを、前記包装材と前記表示ラベルとの境界に沿って延びるように前記保護シートに設けたことを特徴とする手段２又は３に記載のラベル付き商品包装体。
【００１８】
手段４によれば、包装材と表示ラベルとの境界に沿って延びるように切り込みを保護シートに設けた。このため、保護シートを、包装材に貼付された側と表示ラベルに貼付された側とに破断させ易くすることができる。これにより、表示ラベルが包装材から剥がし取られた場合でも、その痕跡として保護シートの少なくとも一部をより確実に包装材に残すことができる。
【００１９】
手段５．前記切り込みを、前記保護シートの端部に達するように設けたことを特徴とする手段２乃至４のいずれかに記載のラベル付き商品包装体。
【００２０】
手段５によれば、切り込みを、保護シートの端部に達するように設けた。保護シートを包装材又は表示ラベルから剥がす場合、まず端部の１箇所を剥がし、それから剥離部分を中央に拡大させていくと考えられる。ここで、切り込みが保護シートの端部に達している場合、切り込みの片側の端部から保護シートを剥がしていっても、切り込みにて保護シートの破断が促進されるため、切り込みの両側の端部、計２箇所から保護シートを剥がしていく必要が生じることとなる。すなわち、痕跡を残さないように表示ラベルを剥がし取ろうとしても、保護シートを剥がし取るために余計な手間がかかるため、不正行為に対する抑止力を発揮することができる。
【００２１】
手段６．前記保護シートを、可撓性を有する合成樹脂により形成したことを特徴とする手段１乃至５のいずれかに記載のラベル付き商品包装体。
【００２２】
手段６によれば、保護シートを、可撓性を有する合成樹脂により形成したため、保護シートの包装材及び表示ラベルに対する密着性を高めることができる。これにより、保護シートの貼付面が平坦でない場合でも、シート粘着層による保護シートの貼付状態を良好なものとすることができる。故に、保護シートの不要な剥離を抑制することができ、不正行為の痕跡をより確実に残すことができる。
【００２３】
手段７．前記保護シートを、透明性を有する合成樹脂により形成したことを特徴とする手段１乃至６のいずれかに記載のラベル付き商品包装体。
【００２４】
手段７によれば、保護シートが透明性を有しているため、仮に、表示ラベルに印刷された商品情報に掛かるようにして保護シートが貼付されていたとしても、保護シートを介してその商品情報を目視確認することができる。さらに、保護シートを合成樹脂により形成したため、例えば、商品情報としてバーコードなどの識別コードが表示ラベルに表示されている場合でも、保護シートを介して識別コードの位置を視認確認しつつ、その識別コードを読取装置などにより読み取ることが可能となる。故に、保護シートを包装材及び表示ラベルに貼付する際の自由度が高くなり、保護シートの貼付作業を容易なものとすることができる。
【００２５】
手段８．前記包装材を、透明性を有する材料により形成したことを特徴とする手段７に記載のラベル付き商品包装体。
【００２６】
手段８によれば、包装材を、透明性を有する材料により形成した。このため、包装材を介して商品の内容や状態を目視確認することが可能となる。また、上記手段８の構成を備えていることにより、包装材における保護シートが貼付されている部分においても、包装材及び保護シートを介して商品の内容や状態を目視確認することが可能となる。故に、包装材に透明性を持たせた構成でも、保護シートを包装材及び表示ラベルに貼付する際の自由度の低下が抑制されるため、保護シートの添付作業を容易なものとすることができる。
【００２７】
手段９．前記保護シートが、前記商品の中央寄りに前記シート粘着層により貼付されていることを特徴とする手段１０に記載のラベル付き商品包装体。
【００２８】
手段９によれば、保護シートが、商品の中央寄りにシート粘着層により貼付されている。このため、保護シートを極力小さくした場合でも、保護シートの目視確認を容易なものとすることができる。この場合、保護シートをより安価なものとしつつ、不正行為のより確実な発見を可能なものとすることができる。
【００２９】
手段１０．商品を包装する包装材（トレー１２、ラップ１３）の表面に、商品の名称や値段等の商品情報が印刷された印刷面（サーマル層２３）を表面に有する表示ラベル（表示ラベル）を貼付し、
前記包装材と前記表示ラベルとに跨るようにして、透明性を有しかつ前記表示ラベルと同等又はそれよりも高い粘着性を有する保護シート（保護シート３１）を貼付したことを特徴とする商品包装体のラベル貼付方法。
【００３０】
手段１０によれば、包装材と、その包装材の表面に貼付した表示ラベルとに跨るようにして保護シートを貼付したため、保護シートを剥がさない限りは表示ラベルを包装材から剥がし取ることができない。このため、仮に、表示ラベルを包装材から不正に剥がし取ってそれ以外のラベルを包装材に貼付しようとしても余計な手間（保護シートを剥がす手間）がかかり、店員などに発見されないようにかかる不正を行うことが困難なものとなっている。故に、表示ラベルの不正な貼り替えに対する抑止力を発揮することができる。
【００３１】
また、保護シートが有する粘着力を、表示ラベルが有する粘着力と同等又はそれよりも高くした。このため、包装材及び表示ラベルから保護シートを剥がす際に、包装材から表示ラベルを剥がす手間と同等又はそれより余計な手間がかかることとなる。したがって、不正行為に対する抑止力をより好適に発揮することができる。
【００３２】
さらに、保護シートを、かかる不正に対する抑止力を発揮するように包装材及び表示ラベルに貼付したため、従来の表示ラベルを従来通り使用することができる。故に、比較的安価な保護シートにより、かつその保護シートを貼付するという比較的容易な作業により不正対策を実現することができる。
【００３３】
以上の結果、正規のラベルからそれ以外のラベルへの貼り替えという不正行為を安価な対策によって抑制できる。
【００３４】
手段１１．前記切り込みが前記包装材と前記表示ラベルとの境界に沿って延びるような状態となるように前記保護シートを貼付したことを特徴とする手段１０に記載の商品包装体のラベル貼付方法。
【００３５】
手段１１によれば、切り込みが包装材と表示ラベルとの境界に沿って延びるような状態となるように保護シートを貼付した。このため、保護シートを、包装材に貼付された側と表示ラベルに貼付された側とに破断させ易くすることができる。これにより、表示ラベルが包装材から剥がし取られた場合でも、その痕跡として保護シートの少なくとも一部をより確実に包装材に残すことができる。
【００３６】
手段１２．前記包装材と前記表示ラベルとのそれぞれの一部に跨るようにして前記保護シートを貼付したことを特徴とする手段１０又は１１に記載の商品包装体のラベル貼付方法。
【００３７】
手段１２によれば、包装材と表示ラベルとのそれぞれの一部に跨るようにして保護シートを貼付した。表示ラベルの一部にでも包装材と跨るように保護シートが貼付されていれば、表示ラベルからそれ以外のラベルへの貼り替えという不正行為に対して抑止力が発揮される。この場合、例えば表示ラベルの全体を覆うように保護シートを貼付する場合と比べて、保護シートの貼付作業に対する自由度を高めることができる。故に、保護シートの貼付作業を容易なものとすることができる。
【００３８】
手段１３．前記商品の中央寄りに前記保護シートを貼付したことを特徴とする手段１２に記載の商品包装体のラベル貼付方法。
【００３９】
手段１３によれば、商品の中央寄りに保護シートを貼付した。このため、保護シートを包装材と表示ラベルとのそれぞれの一部に跨るように貼付した場合でも、保護シートの目視確認を容易なものとすることができる。したがって、保護シートの貼付作業を容易なものとしつつ、不正行為のより確実な発見を可能なものとすることができる。
【発明を実施するための最良の形態】
【００４０】
以下、本発明を具体化した一実施の形態を図面に従って説明する。本実施の形態では、商品の販売に際して包装材により商品を包装しその包装材にラベルを貼付したラベル付き商品包装体について具体化している。図１は、本実施の形態におけるラベル付き商品包装体１０を示す平面図であり、図２は、ラベル付き商品包装体１０の表示ラベル２１及び保護シート３１周辺の構成を示す断面図である。但し、図２では説明の便宜上、表示ラベル２１及び保護シート３１等の厚み寸法を実際の厚み寸法よりも大きく示している。
【００４１】
図１に示すように、ラベル付き商品包装体１０は、商品１１が包装材としてのトレー１２及びラップ１３により包装されており、ラップ１３に表示ラベル２１及び保護シート３１が貼付されている。
【００４２】
トレー１２は合成樹脂により皿状に形成されており、そのトレー１２には鮮魚などの食料品が商品１１として載せられている。トレー１２は、その開放部がラップ１３により覆われており、商品１１が露出しないようになっている。ラップ１３は、例えばポリ塩化ビニルなどの合成樹脂によりフィルム状に形成されている。また、ラップ１３は無色透明となっており、商品１１がトレー１２及びラップ１３により包装された状態でも、ラップ１３を介して商品１１の目視確認が可能となっている。
【００４３】
ラップ１３には、表示ラベル２１が貼付されている。表示ラベル２１は、略矩形状に形成されたラベル材２２によりなっており、ラベル材２２は紙により形成されている。表示ラベル２１の表面には文字等の印刷が可能なサーマル層２３が形成されている。サーマル層２３には、売値，商品名，産地，販売店名などの商品情報が印刷されており、商品情報を目視確認できるようになっている。さらに、サーマル層２３には、識別コードとしてのバーコードが印刷されており、読取装置などによりバーコードから商品情報を読み取ることができるようになっている。
【００４４】
一般的に、販売店名などのベース印刷は、表示ラベル２１を製造する製造メーカなどで行われ、売値，商品名などの内容物に関する印刷は、商品１１を販売する店舗で行われる。なお、売値がグラム単位の単価に商品１１の重量を乗算して決定される場合、表示ラベル２１を計量ラベルとも言い、特に、印刷可能な計量ラベルを計量プリンタラベルとも言う。
【００４５】
表示ラベル２１の裏面にはラベル粘着層２４が形成されている。ラベル粘着層２４は、アクリル水溶性接着剤，溶剤系接着剤，ホットメルト接着剤などの接着剤が塗布されることで形成されており、ラベル粘着層２４により表示ラベル２１がラップ１３に貼付されている。
【００４６】
表示ラベル２１には、ラップ１３に掛かるようにして保護シート３１が貼付されている。保護シート３１は、表示ラベル２１に印刷されている商品情報などに重ならないようにして、ラベル付き商品包装体１０の上下方向における中央寄りに貼付されている。この場合、保護シート３１は、図２に示すように、ラップ１３と表示ラベル２１とに跨るようにして貼付されている。保護シート３１は、矩形状に形成されたシート材３２によりなっており、シート材３２は、例えばポリエチレンテレフタレート（ＰＥＴ），ポリプロピレン（ＰＰ），ポリ塩化ビニルなどの合成樹脂により形成されている。シート材３２は、表示ラベル２１よりも強度の高い材料により形成されており、意図しない破断などが発生しにくくなっている。
【００４７】
保護シート３１は無色透明となっており、保護シート３１がラップ１３及び表示ラベル２１に貼付された状態でも、保護シート３１を介して商品１１や表示ラベル２１の目視確認が可能となっている。また、保護シート３１は可撓性を有しており、保護シート３１がラップ１３及び表示ラベル２１に密着し易いようになっている。したがって、保護シート３１がラップ１３及び表示ラベル２１から剥がれにくくなっている。
【００４８】
保護シート３１の裏面にはシート粘着層３３が形成されており、シート粘着層３３は、アクリル水溶性接着剤，溶剤系接着剤などの接着剤が塗布されることで形成されている。なお、ホットメルト接着剤が塗布されることでシート粘着層３３が形成されていてもよいが、この場合はシート粘着層３３が白くなるため、無色透明の保護シート３１に形成するには好ましくない。シート粘着層３３の粘着力はラベル粘着層２４の粘着力と同等かそれより高くなっている。その高い粘着力は、ラベル粘着層２４よりも多量の接着剤をシート粘着層３３に塗布したり、ラベル粘着層２４を形成する接着剤よりも粘着特性の高い接着剤をシート粘着層３３に塗布したりすることで実現されている。そして、シート粘着層３３により保護シート３１がラップ１３及び表示ラベル２１に貼付されている。
【００４９】
保護シート３１には、切り込み３４ａ，３４ｂが複数設けられている。切り込み３４ａは図１における左右方向の端部から中央に向かって延びるようにしてそれぞれ設けられており、切り込み３４ｂは上方の端部から中央に向かって延びるようにして設けられている。保護シート３１は、特に、切り込み３４ａが表示ラベル２１の領域外において表示ラベル２１の端部に沿って延びるような状態となるようにして、ラップ１３及び表示ラベル２１に貼付されている。
【００５０】
ここで、かかる構成としたラベル付き商品包装体１０において、表示ラベル２１をラップ１３から剥がし取るには、表示ラベル２１と共に保護シート３１をラップ１３から剥がし取ったり、保護シート３１を表示ラベル２１から剥がしたりする必要が生じる。したがって、表示ラベル２１をラップ１３から剥がし取る際には、保護シート３１をラップ１３又は表示ラベル２１から剥がす手間が余計にかかることとなる。
【００５１】
また、例えば、表示ラベル２１に対するシート粘着層３３の粘着力を利用して、表示ラベル２１を剥がすことで保護シート３１を剥がし取ろうとした場合、図３に示すように、切り込み３４ａの両側における保護シート３１は、表示ラベル２１と共にラップ１３から剥離される側とラップ１３への貼付状態が保持される側とに分離される。この場合、保護シート３１の剥離される側の剥離に伴う応力が切り込み３４ａの中央側端部に集中する。そして、その応力によって、切り込み３４ａから中央側への保護シート３１の破断が促進される。したがって、表示ラベル２１がラップ１３から剥がし取られても、保護シート３１が破断され、保護シート３１の一部がラップ１３に貼付されたまま残ることとなる。この場合、ラップ１３に残った保護シート３１の一部が、表示ラベル２１がラップ１３から剥離されたことの痕跡となる。ラップ１３に残った保護シート３１の一部を剥がし取るには、また余計に手間がかかることとなる。
【００５２】
さらに、保護シート３１をラップ１３及び表示ラベル２１から剥がし取ろうとした場合、保護シート３１をその右部から剥がしていっても、剥離部分が例えば切り込み３４ｂに達することで保護シート３１の中央側への破断が促進され、保護シート３１の左部がラップ１３に残ることとなる。ここで、保護シート３１をその左部からも剥がしていくことで、保護シート３１の左右両部をラップ１３から剥がし取ることが可能となるが、その分保護シート３１の全体を剥がし取るための手間が余計にかかる。
【００５３】
以上詳述した本実施の形態によれば、以下の優れた効果を有する。
【００５４】
保護シート３１を、ラップ１３と表示ラベル２１とに跨るようにして貼付したため、表示ラベル２１のみをラップ１３に貼付した場合と比べて、表示ラベル２１をラップ１３から剥がし取るのに余計な手間（保護シート３１をラップ１３又は表示ラベル２１から剥がす手間）がかかるようになっている。このため、店舗の店員などに発見されないように表示ラベル２１をそれ以外のラベルに不正に貼り替えようとしても、それが困難なものとなっている。
【００５５】
保護シート３１のシート粘着層３３の粘着力を表示ラベル２１のラベル粘着層２４の粘着力と同等かそれより高くしたため、保護シート３１をラップ１３又は表示ラベル２１から剥がすには、表示ラベル２１をラップ１３から剥がす際の手間と同等又はそれより余計に手間がかかることとなる。したがって、店員などに発見されないように表示ラベル２１をそれ以外のラベルに不正に貼り替えることがより困難なものとなっている。
【００５６】
また、ラップ１３及び表示ラベル２１に保護シート３１を貼付することで表示ラベル２１の不正な貼り替えに対する抑止力を発揮する構成としたため、表示ラベル２１として従来のラベルを従来通り使用することができる。したがって、比較的安価な保護シート３１により、かつその保護シート３１を貼付するという比較的容易な作業により不正対策を実現することができる。
【００５７】
以上の結果、正規の表示ラベル２１からそれ以外のラベルへの貼り替えという不正行為を安価な対策によって抑制できる。
【００５８】
保護シート３１に切り込み３４ａ，３４ｂを設けたため、ラップ１３からの表示ラベル２１の剥離や、ラップ１３及び表示ラベル２１からの保護シート３１の剥離に伴って、保護シート３１が破断し易くなっている。したがって、破断した保護シート３１の一部がラップ１３に残ることなく表示ラベル２１をラップ１３から剥がし取ることが困難なものとなっている。このため、表示ラベル２１がそれ以外のラベルに不正に貼り替えられたとしても、その痕跡を残すことができる。これにより、かかる不正行為を容易に発見することができる。また、切り込み３４ａ，３４ｂが保護シート３１の端部に達しているため、痕跡を残さないように、保護シート３１におけるラップ１３に残った部分を剥がし取ろうとしても、その手間が余計にかかることとなる。故に、不正行為に対する抑止力をより好適に発揮することができる。
【００５９】
保護シート３１を無色透明としたため、保護シート３１を介して表示ラベル２１を視認確認することができる。したがって、例えば、保護シート３１が、表示ラベル２１に印刷されている商品情報などに重なるようにして貼付された場合でも、保護シート３１を介して商品情報を視認確認することができる。このため、保護シート３１をラップ１３及び表示ラベル２１に貼付する際の自由度を高めることができる。故に、保護シート３１の貼付作業を容易なものとすることができる。
【００６０】
ラップ１３を無色透明としたため、ラップ１３を介して商品１１を目視確認することができる。さらに、保護シート３１が無色透明であるため、ラップ１３及び保護シート３１を介して商品１１を目視確認することができる。したがって、保護シート３１を貼付する際の自由度を商品１１に対しても高めることができる。
【００６１】
保護シート３１に可撓性を持たせたため、ラップ１３及び表示ラベル２１に対する保護シート３１の密着性を高めることができる。例えば、商品１１の形状などに起因して保護シート３１の貼付面が凹凸状となっていても、ラップ１３及び表示ラベル２１に対する保護シート３１の密着性の低下を抑制することができる。故に、保護シート３１の不要な剥離を抑制することができ、不正行為の痕跡をより確実に残すことができる。
【００６２】
保護シート３１を、表示ラベル２１の上部とラップ１３に跨るようにして貼付される程度の大きさとしたため、保護シート３１をより安価なものとすることが可能となる。また、保護シート３１を極力小さくすることにより保護シート３１の貼付作業を容易なものとすることができる。したがって、保護シート３１の貼付作業の効率を高めることができる。さらに、保護シート３１を、ラベル付き商品包装体１０における表示ラベル２１の中央寄りに貼付したため、保護シート３１の視認確認を容易なものとすることができる。これにより、不正行為の痕跡をより確実に発見することができる。
【００６３】
なお、実施の形態は上記した内容に限定されず、例えば次のように実施してもよい。
【００６４】
（ａ）本実施の形態では、ラベル付き商品包装体１０を、保護シート３１がラップ１３に掛かるようにして表示ラベル２１の上部に貼付されている構成としたが、保護シート３１がラップ１３と表示ラベル２１とに跨るようにして貼付されていればよい。例えば、ラベル付き商品包装体１０を、保護シート４１が表示ラベル２１の全体を覆うようにしてラップ１３に貼付されている構成とする。ここで、保護シート４１は、表示ラベル２１の全体を覆うのに十分な大きさとなっている。この場合、表示ラベル２１をラップ１３から剥がし取るには、まず表示ラベル２１が露出するまで保護シート３１を剥がす必要が生じる。したがって、表示ラベル２１をラップ１３から剥がし取るには、より余計な手間がかかるようになっている。このため、店舗の店員などに発見されないように、表示ラベル２１をそれ以外のラベルに不正に貼り替えようとしても、それがより困難なものとなっている。故に、正規の表示ラベル２１からそれ以外のラベルへの貼り替えという不正行為を抑制できる。
【００６５】
かかる構成とした場合でも、保護シート３１を無色透明とすることにより、表示ラベル２１に印刷されている商品情報を保護シート３１を介して目視確認することができる。また、保護シート３１を合成樹脂により形成することにより、表示ラベル２１に印刷されているバーコードの位置を視認確認しつつ、そのバーコードから読取装置などにより商品情報を読み取ることができるようになっている。
【００６６】
（ｂ）本実施の形態では、保護シート３１を矩形状に形成したが、保護シート３１の形状を変更してもよい。例えば、図４に示すように、保護シート４１を、その周辺がギザギザ状（階段状）に形成された形状とする。保護シート４１は、上記実施の形態と同様に、ラップ１３と表示ラベル２１とに跨るようにして貼付されている。かかる構成において、保護シート３１をラップ１３から剥がし取ろうとした場合、保護シート４１の剥離に伴う応力がギザギザ状の周辺のうち凹部の隅角に集中することとなり、それに起因して保護シート４１の破断が促進される。したがって、表示ラベル２１からそれ以外のラベルへの貼り替えという不正行為が行われても、その痕跡をより確実に残すことができる。故に、かかる不正行為をより好適に抑制することができる。
【００６７】
（ｃ）本実施の形態では、保護シート３１のシート材３２を比較的強度の高い材料により形成したが、脆性の高い材料により形成してもよい。例えば、シート材３２を、ラップ１３からの表示ラベル２１の剥離に伴いその応力によって破れる程度の脆性を有する材料により形成する。これにより、表示ラベル２１の破断に伴い保護シート３１が破断し易くなり、表示ラベル２１からそれ以外のラベルに貼り替えられる際に、その痕跡をより確実に残すことができる。
【００６８】
（ｄ）本実施の形態では、切り込み３４ａ，３４ｂを、保護シート３１の端部から中央に向かって延びるようにして設けたが、保護シート３１の端部に達していない切り込み３４ａ，３４ｂを設けてもよく、破線状となるように設けてもよい。この場合でも、ラップ１３からの表示ラベル２１の剥離に伴い保護シート３１の破断を促進させることが可能となる。また、保護シート３１に切り込み３４ａ，３４ｂを設けなくてもよい。この場合、ラップ１３から表示ラベル２１が剥がし取られた場合にその痕跡が残りにくくなるおそれがあるが、（ｂ）の構成を適用することで表示ラベル２１の貼り替えに対する抑止力の低下を抑制することができる。
【００６９】
（ｅ）本実施の形態では、保護シート３１を無色透明としたが、有色透明としてもよく、不透明としてもよい。但し、保護シート３１を不透明とした場合、保護シート３１の貼付状態によっては商品１１や表示ラベル２１に対する視認性が低下するおそれがある。この場合、商品１１や表示ラベル２１の視認性を確保するためには保護シート３１の貼付箇所が制限されることとなり、保護シート３１の貼付作業の容易性が低下する。したがって、保護シート３１は透明性を有するものであることが望ましい。
【００７０】
（ｆ）本実施の形態では、保護シート３１を、可撓性を有する構成としたが、可撓性を有していない構成としてもよい。但し、例えば、商品１１の形状に起因してラップ１３及び表示ラベル２１における保護シート３１の貼付面が平坦となっていない場合、ラップ１３及び表示ラベル２１に対する保護シート３１の密着性が低下するため、保護シート３１が剥がれ易くなるおそれがある。したがって、保護シート３１を、可撓性を有する構成とすることが望ましい。
【００７１】
（ｇ）本実施の形態では、表示ラベル２１のラベル材２２を紙により形成したが、ラベル材２２を形成する材料を変更してもよい。例えば、ラベル材２２を合成樹脂により形成してもよい。要は、粘着性を有する表示ラベル２１が包装材としてのラップ１３に貼付されている構成であれば、本発明を好適に適用することができる。
【００７２】
（ｈ）本実施の形態では、ラベル付き商品包装体１０を、商品１１がトレー１２及びラップ１３により包装されている構成としたが、商品１１がラップ１３のみにより包装されている構成としてもよい。また、ラップ１３を無色透明としたが、有色透明としてもよく、不透明としてもよい。要は、商品１１が包装材により包装されている構成であれば、本発明を好適に適用することができる。
【図面の簡単な説明】
【００７３】
【図１】一実施の形態のラベル付き商品包装体を示す平面図。
【図２】ラベル付き商品包装体の表示ラベル及び保護シート周辺の構成を示す断面図。
【図３】ラップからの表示ラベル及び保護シートの剥離の様子を示す平面図。
【図４】別のラベル付き商品包装体を示す平面図。
【符号の説明】
【００７４】
１０…ラベル付き商品包装体、１１…商品、１２…包装材を構成するトレー、１３…包装材を構成するラップ、２１…表示ラベル、２３…印刷面としてのサーマル層、２４…ラベル粘着層、３１…保護シート、３２…シート材、３３…シート粘着層、３４ａ，３４ｂ…切り込み、４１…保護シート。
【図１】
2008094404.tif 000003
【図２】
2008094404.tif 000004
【図３】
2008094404.tif 000005
【図４】
2008094404.tif 000006